(57)【特許請求の範囲】
【請求項１】
物品が入れられる収容部と、前記収容部の側面に左右一対に取り付けられた２つの肩ベルトとを備え、左右の腕を２つの前記肩ベルトの内側端部の側から各々差し込むことによって背負われる背負い鞄において、
前記肩ベルトは、所定幅の帯状に形成された特定領域を有し、使用者に背負われた時に前記特定領域の裏面が使用者の身体に当接するように取り付けられ、
前記特定領域は、表面側が外に露出して前記特定領域の表面となる表生地と、前記表生地よりも柔軟な素材で成り、裏面側が外に露出して前記特定領域の裏面となる裏生地と、前記表生地及び前記裏生地で囲まれた中に配置され、裏面側が前記裏生地に対向するクッション材とを有し、
前記特定領域の内側端部は、前記裏生地の内側端部が前記表生地の内側端部の表面側に重なり、この重なった部分が前記クッション材を貫通せずに第一の糸で相互に縫い付けられ、前記裏生地の内側端部以外の部分が折れ返って前記クッション材の裏面側に重なり、前記裏生地によって、前記表生地の内側の端面及び角部と、前記第一の糸の、前記表生地の裏面側に位置する部分とが覆われていることを特徴とする背負い鞄。
【請求項２】
前記表生地の内側端部が、前記クッション材から離れる方向に立ち上がっている請求項１記載の背負い鞄。
【請求項３】
前記裏生地は、前記特定領域の内側端部の側に配置される内側裏生地と、前記特定領域の外側端部の側に配置される外側裏生地とで構成され、
前記特定領域の内側端部は、前記内側裏生地の内側端部が前記表生地の内側端部の表面側に重なり、この重なった部分が前記クッション材を貫通せずに前記第一の糸で相互に縫い付けられ、前記内側裏生地の内側端部以外の部分が折れ返って前記クッション材の裏面側に重なり、前記内側裏生地によって前記表生地の内側の端面及び角部と、前記第一の糸の、前記表生地の裏面側に位置する部分とが覆われ、
前記特定領域の外側端部は、前記外側裏生地の外側端部が前記表生地の外側端部の表面側に重なり、この重なった部分が前記クッション材を貫通せずに第二の糸で相互に縫い付けられ、前記外側裏生地の外側端部以外の部分が折れ返って前記クッション材の裏面側に重なり、前記外側裏生地によって前記表生地の外側の端面及び角部と、前記第二の糸の、前記表生地の裏面側に位置する部分とが覆われている請求項１記載の背負い鞄。
【請求項４】
前記表生地の内側端部及び外側端部が、前記クッション材から離れる方向に立ち上がっている請求項３記載の背負い鞄。
【請求項５】
前記内側裏生地の外側端部、前記外側裏生地の内側端部、前記クッション材及び前記表生地は、前記特定領域の幅方向の途中の位置で重なり、この重なった部分を貫通させて一体に縫い付けられている請求項３又は４記載の背負い鞄。
【請求項６】
前記クッション材は、前記内側裏生地の外側端部、前記外側裏生地の内側端部及び前記表生地と一体に縫い付けられる部分が、他の部分よりも薄く形成されている請求項５記載の背負い鞄。
【請求項７】
前記クッション材は、前記特定領域の内側端部の側の、前記表生地及び前記内側裏生地で囲まれた中に配置された内側クッション材と、前記特定領域の外側端部の側の、前記表生地及び前記外側裏生地で囲まれた中に配置された外側クッション材とで構成され、
前記内側裏生地の外側端部、前記外側裏生地の内側端部及び前記表生地は、前記特定領域の幅方向の途中の位置で重なり、この重なった部分を貫通させて一体に縫い付けられている請求項３又は４記載の背負い鞄。
【請求項８】
物品が入れられる収容部と、前記収容部の側面に左右一対に取り付けられた２つの肩ベルトとを備え、左右の腕を２つの前記肩ベルトの内側端部の側から各々差し込むことによって背負われる背負い鞄において、
前記肩ベルトは、所定幅の帯状に形成された特定領域を有し、使用者に背負われた時に前記特定領域の裏面が使用者の身体に当接するように取り付けられ、
前記特定領域は、表面側が外に露出して前記特定領域の表面となる表生地と、前記表生地よりも柔軟な素材で成り、裏面側が外に露出して前記特定領域の裏面となる裏生地と、前記表生地及び前記裏生地で囲まれた中に配置され、裏面側が前記裏生地に対向するクッション材とを有し、
前記特定領域の内側端部は、前記表生地の内側端部が前記クッション材から離れる方向に立ち上がり、前記裏生地の内側端部が前記表生地の内側端部の立ち上がっている部分に重なり、この重なった部分が前記クッション材を貫通せずに相互に縫い付けられ、前記裏生地の内側端部以外の部分が折れ返って前記クッション材の裏面側に重なっていることを特徴とする背負い鞄。
【請求項９】
前記特定領域の外側端部は、前記表生地の外側端部が前記クッション材から離れる方向に立ち上がり、前記裏生地の外側端部が前記表生地の外側端部の立ち上がっている部分に重なり、この重なった部分が前記クッション材を貫通せずに相互に縫い付けられている請求項８記載の背負い鞄。
【請求項１０】
前記表生地は、生地本体と、前記生地本体の裏面側に貼着された補強用芯材とで構成されている請求項１乃至９のいずれか記載の背負い鞄。
【発明の詳細な説明】
【技術分野】
【０００１】
この発明は、収容部の側面に２つの肩ベルトが取り付けられた背負い鞄に関する。
【背景技術】
【０００２】
従来、例えば特許文献１に開示されているように、物品が入れられる収容部と、収容部の側面に左右一対に取り付けられた２つの肩ひもベルトとを備え、左右の腕を２つの肩ひもベルトの内側端部の側から各々差し込むことによって背負われるランドセルがあった。肩ひもベルトは、所定幅の帯状に形成された特定領域（湾曲部）を有し、使用者に背負われた時に、特定領域の裏面が使用者の身体に当接する。
【０００３】
肩ひもベルトの特定領域は、特許文献１の図３に記載されているように、一定以上の厚みを有した硬い素材で成る表生地（上カバー１６）と、表生地よりも柔軟な素材で成る裏生地（カバー１５）と、表生地及び裏生地に囲まれた中に配置されたクッション材（弾性体１４．１７）とで構成される。使用者の身体に当接するのは、裏生地がある方の面である。
【０００４】
特許文献１に開示された肩ひもベルトにおいて特徴的なのは、特定領域の使用者の首に接触する部分の構造、すなわち特定領域の内側端部の構造であり、特定領域の内側端部は、柔らかい裏生地及びクッション材が内向きに突出し、この突出部の陰に、硬い表生地の内側の端面及び角部が隠れる構造になっている。したがって、使用者がランドセルを背負った時、使用者の首に表生地の内側の端面及び角部が接触しにくくなり、痛みを感じる不具合が発生にくくなる。
【先行技術文献】
【特許文献】
【０００５】
【特許文献１】実開昭５７−８５９２２号公報
【発明の概要】
【発明が解決しようとする課題】
【０００６】
しかしながら、特許文献１のランドセルの肩ひもベルトの構造は、使用者の首に表生地の内側の端面及び角部が接触しにくくはなるが、その効果は限定的である。
【０００７】
例えば、子供がランドセルを急いで乱雑に背負ったとすると、柔らかい突出部が表生地の裏側に折れ曲がってしまい、表生地の内側の端面及び角部が露出する可能性がある。また、背負った時は大丈夫でも、遊んだり走ったりするうちに、柔らかい突出部が位置ずれしたり変形したりして、表生地の内側の端面及び角部が露出する可能性がある。したがって、この肩ひもベルトの構造は、使用者の首に表生地の内側の端面及び角部が接触するのを確実に防止するのは難しい。
【０００８】
また、特許文献１のランドセルの肩ひもベルトは、特定領域の内側端部だけに対策行われているが、外側端部でも同様の不具合が発生する可能性があるので、これを防止する何らかの対策を行うことが好ましい。
【０００９】
本発明は、上記背景技術に鑑みて成されたものであり、使用者が背負った時、肩ベルトが使用者の身体に接触して痛く感じる不具合を容易且つ確実に防止できる背負い鞄を提供することを目的とする。
【課題を解決するための手段】
【００１０】
本発明は、物品が入れられる収容部と、前記収容部の側面に左右一対に取り付けられた２つの肩ベルトとを備え、左右の腕を２つの前記肩ベルトの内側端部の側から各々差し込むことによって背負われる背負い鞄であって、前記肩ベルトは、所定幅の帯状に形成された特定領域を有し、使用者に背負われた時に前記特定領域の裏面が使用者の身体に当接するように取り付けられ、前記特定領域は、表面側が外に露出して前記特定領域の表面となる表生地と、前記表生地よりも柔軟な素材で成り、裏面側が外に露出して前記特定領域の裏面となる裏生地と、前記表生地及び前記裏生地で囲まれた中に配置され、裏面側が前記裏生地に対向するクッション材とを有し、前記特定領域の内側端部は、前記裏生地の内側端部が前記表生地の内側端部の表面側に重なり、この重なった部分が前記クッション材を貫通せずに第一の糸で相互に縫い付けられ、前記裏生地の内側端部以外の部分が折れ返って前記クッション材の裏面側に重なり、前記裏生地によって、前記表生地の内側の端面及び角部と、前記第一の糸の、前記表生地の裏面側に位置する部分とが覆われている背負い鞄である。さらに、前記表生地の内側端部は、前記クッション材から離れる方向に立ち上がっている構成にしてもよい。
【００１１】
また、前記裏生地は、前記特定領域の内側端部の側に配置される内側裏生地と、前記特定領域の外側端部の側に配置される外側裏生地とで構成され、前記特定領域の内側端部は、前記内側裏生地の内側端部が前記表生地の内側端部の表面側に重なり、この重なった部分が前記クッション材を貫通せずに前記第一の糸で相互に縫い付けられ、前記内側裏生地の内側端部以外の部分が折れ返って前記クッション材の裏面側に重なり、前記内側裏生地によって前記表生地の内側の端面及び角部と、前記第一の糸の、前記表生地の裏面側に位置する部分とが覆われ、前記特定領域の外側端部は、前記外側裏生地の外側端部が前記表生地の外側端部の表面側に重なり、この重なった部分が前記クッション材を貫通せずに前記第二の糸で相互に縫い付けられ、前記外側裏生地の外側端部以外の部分が折れ返って前記クッション材の裏面側に重なり、前記外側裏生地によって、前記表生地の外側の端面及び角部と、前記第二の糸の、前記表生地の裏面側に位置する部分とが覆われている構成にすることが好ましい。
【００１２】
この場合、前記表生地の内側端部及び外側端部は、前記クッション材から離れる方向に立ち上がっている構成にしてもよい。また、前記内側裏生地の外側端部、前記外側裏生地の内側端部、前記クッション材及び前記表生地は、前記特定領域の幅方向の途中の位置で重なり、この重なった部分を貫通させて一体に縫い付けられている構成にすることができる。そして、前記クッション材は、前記内側裏生地の外側端部、前記外側裏生地の内側端部及び前記表生地と一体に縫い付けられる部分が、他の部分よりも薄く形成されていることが好ましい。あるいは、前記クッション材は、前記特定領域の内側端部の側の、前記表生地及び前記内側裏生地で囲まれた中に配置された内側クッション材と、前記特定領域の外側端部の側の、前記表生地及び前記外側裏生地で囲まれた中に配置された外側クッション材とで構成され、前記内側裏生地の外側端部、前記外側裏生地の内側端部及び前記表生地は、前記特定領域の幅方向の途中の位置で重なり、この重なった部分を貫通させて一体に縫い付けられている構成にすることができる。
【００１３】
また、本発明は、物品が入れられる収容部と、前記収容部の側面に左右一対に取り付けられた２つの肩ベルトとを備え、左右の腕を２つの前記肩ベルトの内側端部の側から各々差し込むことによって背負われる背負い鞄であって、前記肩ベルトは、所定幅の帯状に形成された特定領域を有し、使用者に背負われた時に前記特定領域の裏面が使用者の身体に当接するように取り付けられ、前記特定領域は、表面側が外に露出して前記特定領域の表面となる表生地と、前記表生地よりも柔軟な素材で成り、裏面側が外に露出して前記特定領域の裏面となる裏生地と、前記表生地及び前記裏生地で囲まれた中に配置され、裏面側が前記裏生地に対向するクッション材とを有し、前記特定領域の内側端部は、前記表生地の内側端部が前記クッション材から離れる方向に立ち上がり、前記裏生地の内側端部が前記表生地の内側端部の立ち上がっている部分に重なり、この重なった部分が前記クッション材を貫通せずに相互に縫い付けられ、前記裏生地の内側端部以外の部分が折れ返って前記クッション材の裏面側に重なっている背負い鞄である。
【００１４】
前記特定領域の外側端部は、前記表生地の外側端部が前記クッション材から離れる方向に立ち上がり、前記裏生地の外側端部が前記表生地の外側端部の立ち上がっている部分に重なり、この重なった部分が前記クッション材を貫通せずに相互に縫い付けられている構成であることが好ましい。また、前記表生地は、生地本体と、前記生地本体の裏面側に貼着された補強用芯材とで構成されていてもよい。
【発明の効果】
【００１５】
本発明の背負い鞄は、独特な構造の肩ベルトを有し、硬い素材で成る表生地の端面及び角部が使用者の身体に接触しにくい構造になっている。しかも、この部分の構造は非常に安定しており、使用者が急いで背負ったり走ったりしても崩れたり変化したりしない。したがって、使用者が背負った時、肩ベルトが接触して痛みを感じる不具合を確実に防止することができ、非常に背負い心地の良い背負い鞄を提供することができる。
【図面の簡単な説明】
【００１６】
【図１】本発明の背負い鞄の第一の実施形態であるランドセルの外観を示す斜視図である。
【図２】図１のランドセルが有する２つの肩ベルトを、使用者の身体に当接しない表面側から見た図（ａ）、使用者の身体に当接する裏面側から見た図（ｂ）である。
【図３】図２に示す肩ベルトの特定領域の内部構造を示すＡ−Ａ断面図（ａ）、Ｂ−Ｂ断面図（ｂ）である。
【図４】図２に示す肩ベルトの特定領域の製造方法の例を順に示す断面図（ａ）〜（ｃ）である。
【図５】図２に示す肩ベルトの特定領域の変形例を示すＡ−Ａ断面図（ａ）、他の変形例を示すＡ−Ａ断面図（ｂ）である。
【図６】本発明の背負い鞄の第二の実施形態であるランドセルが有する肩ベルトの特定領域の内部構造を示すＡ−Ａ断面図（ａ）、Ｂ−Ｂ断面図（ｂ）である。
【図７】図６に示す肩ベルトの特定領域の製造方法の例を順に示す断面図（ａ）〜（ｃ）である。
【図８】図６に示す肩ベルトの特定領域の変形例を示すＡ−Ａ断面図（ａ）、他の変形例を示すＡ−Ａ断面図（ｂ）である。
【発明を実施するための形態】
【００１７】
以下、本発明の背負い鞄の第一の実施形態について、図１〜図５に基づいて説明する。この実施形態は子供用のランドセル１０であり、図１に示すように、物品を収容する略四角形の収容部１２と、収容部１２の側面に左右一対に取り付けられた２つの肩ベルト１４(1)，１４(2)とを備えている。肩ベルト１４(1)と１４(2)は互いに左右対称な構造であり、長さ方向の途中の位置に、所定幅の帯状に形成された特定領域１６が設けられている。
【００１８】
ランドセル１０は、左右の腕を肩ベルト１４(1)，１４(2)の内側端部の側から各々差し込むことによって背負われ、肩ベルト１４(1)，１４(2)の特定領域１６の裏面と収容部１２の側面とが使用者の身体に当接する。
【００１９】
図２（ａ）、（ｂ）に示すように、肩ベルト１４(1)，１４(2)の特定領域１６は、使用者の身体に沿う形状に湾曲した形状になっており、特定領域１６の上端部を延長した上側部分１７が折り返されてリベットで抑えられ、収容部１２の上部金具１２ａに取り付けられる。肩ベルト１４(1)，１４(2)の下側部分１８は、厚み方向に貫通する複数のサイズ調整用孔１８ａが長さ方向に間隔をあけて形成され、収容部１２に設けられた下部ベルト１２ｂのバックルに取り付けられる。
【００２０】
ランドセル１０の特徴的な部分は、肩ベルト１４(1)，１４(2)の特定領域１６の構造である。肩ベルト１４(1)の特定領域１６は、図３（ａ）に示すように、一定以上の厚みを有した比較的硬い素材で成る表生地２０と、表生地２０よりも柔軟な素材で成る裏生地（２２ａ，２２ｂ）と、表生地２０及び裏生地に囲まれた中に配置されたクッション材（２４ａ，２４ｂ）とで構成されている。
【００２１】
表生地２０は、合成樹脂または天然の皮革で成る生地本体２０ａの裏面に補強用芯材２０ｂが貼着されたものであり、生地本体２２ａの表面が外に露出して特定領域１６の表面となる。
【００２２】
裏生地は、特定領域１６の内側端部の側に配置される内側裏生地２２ａと特定領域１６の外側端部の側に配置される外側裏生地２２ｂとで構成される。内側及び外側裏生地２２ａ，２２ｂは、表生地２０に対向する面と反対側の面が裏面であり、この面が外に露出して特定領域１６の裏面となる。
【００２３】
クッション材は、一定の緩衝性を有したスポンジ等であり、特定領域１６の内側端部の側の、表生地２０及び内側裏生地２２ａで囲まれた中に配置される内側クッション材２４ａと、特定領域１６の外側端部の側の、表生地２０及び外側裏生地２２ｂで囲まれた中に配置される外側クッション材２４ｂとで構成される。
【００２４】
肩ベルト１４(1)の特定領域１６を組み立てる時は、まず、図４（ａ）に示すように、内側裏生地２２ａの内側端部を生地本体２０ａの内側端部の表面側に重ね、この重なった部分を第一の糸である糸２６で相互に縫い付ける。同様に、外側裏生地２２ｂの外側端部を生地本体２０ａの外側端部の表面側に重ね、この重なった部分を第二の糸である糸２８で相互に縫い付ける。その後、図４（ｂ）に示すように、生地本体２０ａの裏面に補強用芯材２０ｂを貼着して表生地２０を形成し、さらに表生地２０の裏面（補強用芯材２０ｂの裏面）に、内側クッション材２４ａ及び外側クッション材２４ｂを貼着する。さらに、内側裏生地２２ａ同士が折れ重なるＣ部を糊付けし、外側裏生地２２ｂ同士が折れ重なるＤ部及びＥ部を糊付けする。
【００２５】
その後、図４（ｃ）に示すように、内側裏生地２２ａの内側端部以外の部分を折り返して内側クッション材２４ａの裏面に重ね、さらに、外側裏生地２２ｂの外側端部以外の部分を折り返して外側クッション材２４ｂの裏面に重ねる。そして、内側裏生地２２ａの外側端部、外側裏生地２２ｂの内側端部及び表生地２０を、内側クッション材２４ａ及び外側クッション材２４ｂの間の位置で相互に重ね、この部分を貫通させて糸３０で一体に縫い付けると、図３（ａ）に示す組み立て状態になる。
【００２６】
もう一方の肩ベルト１４(2)の特定領域１６も、肩ベルト１４(1)と同様の手順で組み立てられ、図３（ｂ）に示す組み立て状態になる。
【００２７】
この組み立て状態で、特定領域１６の内側端部は、内側裏生地２２ａの内側端部が表生地２０の内側端部の表面側に重なり、この重なった部分が、内側クッション材２４ａを貫通せずに相互に縫い付けられている。つまり、内側クッション材２４ａの内側端部は縫製で潰れておらず、十分な緩衝性を備えている。さらに、内側裏生地２２ａが折れ返って内側クッション材２４ａの裏面側に重なり、柔らかい内側裏生地２２ａが硬い表生地２０の内側の端面及び角部を完全に覆っている。したがって、使用者がランドセル１０を背負った時、特定領域１６の内側端部が使用者の首や胸に接触しても、内側クッション材２４ａの緩衝性と内側裏生地２２ａの柔らかさにより、痛く感じることはない。
【００２８】
同様に、特定領域１６の外側端部は、外側裏生地２２ｂの外側端部が表生地２０の外側端部の表面側に重なり、この重なった部分が、外側クッション材２４ｂを貫通せずに相互に縫い付けられている。つまり、外側クッション材２４ｂの外側端部は、縫製で潰されておらず、十分な緩衝性を備えている。さらに、外側裏生地２２ｂが折れ返って外側クッション材２４ｂの裏面側に重なり、柔らかい外側裏生地２２ｂが硬い表生地２０の外側の端面及び角部を完全に覆っている。したがって、使用者がランドセル１０を背負った時、特定領域１６の外側端部が使用者の肩や胸に接触しても、外側クッション材２４ｂの緩衝性と外側裏生地２２ｂの柔らかさにより、痛く感じることはない。
【００２９】
その他にも、肩ベルト１４(1)，１４(2)は、従来の肩ベルトより優れている点がある。従来の肩ベルトの構造は、特定領域の裏面の高さが不均一になりやすく、幅方向の中央部が最も高く、内側端部と外側端部が低くなっているものが多い。そのため、使用者が背負った時、特定領域の裏面が使用者の身体に安定に当接することができず、背負い心地が悪いという指摘があった。これに対して、肩ベルト１４(1)，１４(2)の場合、特定領域１６の裏面の高さが、内側クッション材２４ａと外側クッション材２４ｂが位置する２箇所で高くなるので、使用者が背負った時、特定領域１６の裏面が使用者の身体に安定に当接することができ、背負い心地が良くなる。
【００３０】
また、従来の肩ベルトは、特定領域を縫製した糸が表面側や裏面側に露出しているものが多く、特に裏面側に露出している部分は、使用者の衣服等に擦れて劣化しやすいという指摘があった。これに対して、肩ベルト１４(1)，１４(2)の場合、糸２６，２８は、特定領域１６の表面側にも裏面側にも露出しないので劣化しにくい。糸３０は、特定領域１６の表面側と裏面側の両方に露出するが、表面側は使用者の身体に当接しないので劣化しにくく、裏面側も、２つのクッション材２４ａ，２４ｂの間の低い位置にあるので使用者の衣服等に擦れにくくて劣化しにくい。
【００３１】
以上説明したように、この実施形態のランドセル１０は、独特な構造の肩ベルト１４(1)，１４(2)を有しているので、非常に背負い心地の良いランドセルを提供することができる。実際の小学生８人に、試作したランドセル１０と各自が使用しているランドセルとを比較してもらったところ、「ランドセル１０の方が背負い心地が良い」との声が多く聞かれ、８人中７人が「ランドセル１０が欲しい」と回答した。また、小学生の親からも「ランドセル１０の肩ベルトの方が機能的に優れていると思う」というコメントが多く聞かれた。
【００３２】
ここで、肩ベルト１４(1)の特定領域１６の構造の変形例を２つ示す。図５（ａ）に示す特定領域１６ｘは、特定領域１６と比較すると、糸２６及び糸２８が特定領域１６ｘの表面側に露出しているという違いがある。特定領域１６ｘの構造は、特定領域１６よりも組み立て作業が少し容易になる。なお、特定領域１６ｘでは、糸２６，２８が表面側に露出することになるが、表面側は使用者の身体に当接しないので劣化しにくく、十分に実用性のある構造と言える。
【００３３】
図５（ｂ）に示す特定領域１６ｙは、特定領域１６が有する内側及び外側クッション材２４ａ，２４ｂを１つのクッション材３２に置き替えたものである。特定領域１６は、２つのクッション材を用意して、表生地２０に別々に貼着する必要があるが、特定領域１６ｙは、クッション材の数が１つなので、構造がよりシンプルになるという利点がある。ただし、糸３０の縫製はクッション材３２を貫通して行うことになるので、非常に厚いクッション材３２を使用すると、糸３０の縫い目が綺麗になりにくい。したがって、厚いクッション材を使用する場合は、例えばクッション材３４のように、糸３０で縫製される部分を他の部分よりも薄くしたものを使用することが好ましい。
【００３４】
次に、本発明の背負い鞄の第二の実施形態について、図１及び図６〜図８に基づいて説明する。この実施形態は子供用のランドセル３６であり、図１に示すように、外観はランドセル１０とほぼ同じで、物品を収容する略四角形の収容部１２と、収容部１２の側面に左右一対に取り付けられた２つの肩ベルト３８(1)，３８(2)とを備えている。肩ベルト３８(1)と３８(2)は互いに左右対称な構造であり、長さ方向の途中の位置に、所定幅の帯状に形成された特定領域４０が設けられている。
【００３５】
ランドセル３６は、左右の腕を肩ベルト３８(1)，３８(2)の内側端部の側から各々差し込むことによって背負われ、肩ベルト３８(1)，３８(2)の特定領域４０の裏面と収容部１２の側面とが使用者の身体に当接する。
【００３６】
ランドセル３６の特徴的な部分は、肩ベルト３８(1)，３８(2)の特定領域４０の構造である。肩ベルト３８(1)の特定領域４０は、図６（ａ）に示すように、一定以上の厚みを有した比較的硬い素材で成る表生地４２と、表生地４２よりも柔軟な素材で成る裏生地４４と、表生地４２及び裏生地４４に囲まれた中に配置されたクッション材４６とで構成されている。
【００３７】
表生地４２は、合成樹脂または天然の皮革で成る生地本体だけで構成されており、上記のような補強用芯材は設けられていない。表生地４２は、外に露出している方の面が表面であり、この面が特定領域４０の表面となる。
【００３８】
裏生地４４は１枚の柔軟な生地であり、上記の内側裏生地及び外側裏生地のように分割されてはいない。裏生地４４は、表生地４２に対向する面と反対側の面が裏面であり、この面が外に露出して特定領域４０の裏面となる。クッション材４６は、略直方体に形成された１個のスポンジ等であり、上記の内側クッション材及び外側クッション材のように分割されてはいない。
【００３９】
肩ベルト３８(1)の特定領域４０を組み立てる時は、まず、図７（ａ）に示すように、裏生地４４の内側端部を表生地４２の内側端部の表面側に重ね、この重なった部分を糸４８で相互に縫い付ける。そして、図７（ｂ）に示すように、表生地４０の裏面にクッション材４６を貼着し、裏生地４４同士が折れ重なるＦ部を糊付けする。
【００４０】
その後、図７（ｃ）に示すように、裏生地４４の内側端部以外の部分を折り返してクッション材４６の裏面側に重ね、さらに、裏生地４４の外側端部を、表生地４０とクッション材４６の各外側端部の間に差し込み、裏生地４４、クッション材４６及び表生地４２の外側端部同士が重なる部分を貫通させて糸５０で一体に縫い付けると、図６（ａ）に示す組み立て状態になる。
【００４１】
もう一方の肩ベルト３８(2)の特定領域４０も、肩ベルト３８(1)と同様の手順で組み立てられ、図６（ｂ）に示す組み立て状態になる。
【００４２】
この組み立て状態で、特定領域４０の内側端部は、裏生地４４の内側端部が表生地４２の内側端部の表面側に重なり、この重なった部分が、クッション材４６を貫通せずに相互に縫い付けられている。つまり、クッション材４６の内側端部は縫製で潰れておらず、十分な緩衝性を備えている。さらに、裏生地４４が折れ返ってクッション材４６の裏面側に重なり、柔らかい裏生地４４が硬い表生地４２の内側の端面及び角部を完全に覆っている。したがって、使用者がランドセル３６を背負った時、特定領域４０の内側端部が使用者の首や胸に接触しても、クッション材４６の緩衝性と裏生地４４の柔らかさにより、痛く感じることはない。
【００４３】
一方、特定領域４０の外側端部は、裏生地４４及びクッション材４６の外側端部が表生地４２の外側端部の裏面側に重なり、この重なった部分を貫通させて相互に縫い付けられている。つまり、クッション材４６の外側端部は縫製で潰れており、緩衝性が低下している。また、硬い表生地２０の外側の端面及び角部は、裏生地４４に覆われずに露出している。したがって、使用者がランドセル１０を背負った時、特定領域４０の外側端部が使用者の肩や胸に接触すると、少し痛く感じる可能性がある。しかし、特定領域４０の外側端部は、内側端部と比較して使用者の身体に接触しにくい部位なので、使用者の好みに合えば、十分に実用性のある構造と言える。
【００４４】
この実施形態のランドセル３６は、独特な構造の肩ベルト３８(1)，３８(2)を有しており、特許文献１のランドセルよりも背負い心地が良いランドセルを提供することができる。また、上記実施形態のランドセル１０と比較すると、肩ベルトの構造がよりシンプルで組み立てやすいという特徴がある。
【００４５】
ここで、肩ベルト３８(1)の特定領域４０の構造の変形例を２つ示す。図８（ａ）に示す特定領域４０ｘは、内側及び外側端部が表面側に立ち上がった形状の表生地５２を有し、裏生地４４の外側端部が、表生地５２の外側端部の立ち上がっている部分の裏面側に重なり、この重なった部分が、クッション材４６を貫通せずに糸５０で相互に縫い付けられている。したがって、クッション材４６の外側端部は縫製で潰れておらず、十分な緩衝性を備えている。さらに、硬い表生地５２の外側の端面及び角部は、裏生地４４に覆われずに露出はしているものの、使用者の身体に接触し難い場所に配置される。したがって、使用者がランドセル３６を背負った時、特定領域４０ｘの外側端部が使用者の肩や胸に接触しても、クッション材４６の緩衝性と裏生地４４の柔らかさにより、痛く感じることはない。また、特定領域４０ｘの内側端部も、外側端部と左右対称な構造なので、同様の効果が得られる。
【００４６】
図８（ｂ）に示す特定領域４０ｙは、特定領域４０ｘをさらに改良したものである。特定領域４０ｙの外側端部は、裏生地４４の外側端部と表生地５２の外側端部との重なり方が変更されており、裏生地４４の外側端部が表生地５２の裏面から表面に跨るように折り返して重ねられ、柔らかい裏生地４４が表生地５２の外側の端面及び角部を完全に覆っている。したがって、硬い表生地５２の外側の端面及び角部が使用者の身体に接触することを確実に防止することができる。特定領域４０ｙの内側端部も、外側端部と左右対称な構造なので、同様の効果が得られる。
【００４７】
なお、本発明の背負い鞄は、上記実施形態に限定されるものではない。上記の２つの実施形態はどちらもランドセルであるが、本発明は、ランドセルとは異なる形態の背負い鞄に適用できることは言うまでもない。また、肩ベルトの特定領域の大きさは、用途に合わせて適宜設定することができ、特定領域を構成する表生地、裏生地及びクッション材の素材についても、本発明が目的とする作用効果が得られるものであれば、自由に選択し変更することができる。
【符号の説明】
【００４８】
１０，３６  ランドセル（背負い鞄）
１２  収容部
１４(1)，１４(2)，３８(1)，３８(2)  肩ベルト
１６，１６ｘ，１６ｙ，４０，４０ｘ，４０ｙ  特定領域
２０，４２，５２  表生地
２０ａ  生地本体
２０ｂ  補強用芯材
２２ａ  内側裏生地
２２ｂ  外側裏生地
２４ａ  内側クッション材
２４ｂ  外側クッション材
２６，２８，３０，４８，５０  糸
３２，３４，４６  クッション材
４４  裏生地
【要約】
【課題】使用者が背負った時、肩ベルトが使用者の身体に接触して痛く感じる不具合を容易且つ確実に防止できる背負い鞄を提供する。
【解決手段】肩ベルト１４(1)，１４(2)の特定領域１６は、表面側が特定領域１６の表面となる表生地２０と、表生地２０よりも柔軟な素材で成り、裏面側が特定領域１６の裏面となる裏生地２２ａ，２２ｂと、表生地２０及び裏生地２２ａ，２２ｂで囲まれた中に配置され、裏面側が裏生地２２ａ，２２ｂに対向するクッション材２４ａ，２４ｂとを有する。特定領域１６の内側端部は、裏生地２２ａの内側端部が表生地２０の内側端部の表面側に重なり、この重なった部分がクッション材２４ａを貫通せずに相互に縫い付けられ、裏生地２２ｂの内側端部以外の部分が折れ返ってクッション材２４ａの裏面側に重なり、裏生地２２ａによって表生地２０の内側の端面及び角部が覆われている。
【選択図】図３【図１】
0006749667.tif 000002
【図２】
0006749667.tif 000003
【図３】
0006749667.tif 000004
【図４】
0006749667.tif 000005
【図５】
0006749667.tif 000006
【図６】
0006749667.tif 000007
【図７】
0006749667.tif 000008
【図８】
0006749667.tif 000009